(57)【要約】【課題】画像を送信することを減らし通信パケットを減少させるセキュリティ装置を得る。【解決手段】セキュリティターミナル１０１は、データ処理部１１０がカメラ付呼出応答部１００から訪問者の画像を画像データに変換し、データ格納部１１１がこの画像データを格納し、データ照合部１１２が格納した画像データと、データベース１０２に訪問者を識別する識別情報と関連付けて格納されている過去の訪問者の画像データとを比較照合し、データ制御部１１３が、データ照合部１１２の比較照合結果が一致した場合、予め特定した携帯端末１０４に一致した画像データに関連する識別情報を送信し、不一致の場合、携帯端末１０４に新規訪問者の来訪を送信する。【選択図】図２
2008257517.tif 000002
【特許請求の範囲】
【請求項１】
外部カメラから訪問者の画像を入力し画像データに変換するデータ処理部と、
上記データ処理部で変換された訪問者の画像データを格納するデータ格納部と、
上記データ格納部で格納した訪問者の画像データと、外部のデータベースに訪問者を識別する識別情報と関連付けて格納されている過去の訪問者の画像データとを比較照合するデータ照合部と、
上記データ照合部の比較照合結果が一致した場合、予め特定した携帯端末に上記データベースの一致した画像データに関連する識別情報を送信し、上記データ照合部の比較照合結果が不一致の場合、上記予め特定した携帯端末に新規訪問者の来訪を送信するデータ制御部と
を備えることを特徴とするセキュリティ装置。
【請求項２】
データ照合部は、外部データベースに識別情報と関連付けて格納されている被訪問者の携帯端末ＩＤを抽出し、
データ制御部は、識別情報又は新規訪問者の来訪を上記携帯端末に通知することを特徴とする請求項１記載のセキュリティ装置。
【請求項３】
データ照合部の比較照合結果が不一致の場合、データ制御部は携帯端末に新規訪問者の画像データのデータ格納部内の保存先のアドレスを送信することを特徴とする請求項１記載のセキュリティ装置。
【請求項４】
データ照合部の比較照合結果が不一致の場合、データ照合部はデータベースに未登録の訪問者の画像データを保存することを特徴とする請求項１記載のセキュリティ装置。
【請求項５】
携帯端末から着呼した場合、訪問者が通話するための外部のカメラの呼出応答部と上記携帯端末とを接続する音声データ送受信部を備えることを特徴とする請求項１記載のセキュリティ装置。
【発明の詳細な説明】
【技術分野】
【０００１】
この発明は、例えば携帯端末を利用したセキュリティ装置に関するものである。
【背景技術】
【０００２】
留守中の家屋へ訪問者があった場合又は異常を検知した場合、異常をセキュリティセンター等に通知するホームセキュリティ情報通知システムにおいて、家主の携帯端末へ情報を通知して、外出先で画像（映像）等により状況確認可能なシステムが増えてきている。
このようなセキュリティ装置の一例として、従来、特許文献１のように、家屋内の異常を検知する複数の検知手段と、家屋内を撮影する複数の撮影手段と、検知手段にて検知された情報と撮影手段にて撮影された映像とを所定の回線を介して出力する制御手段と、回線を介して出力された情報を受信する移動端末とを有し、移動端末を用いて家屋内の異常が認識されるホームセキュリティ情報通知システムにおいて、検知手段にて検知された異常の種類に対応したメッセージが格納されたデータベースを有し、制御手段は、検知手段にて異常が検知された場合に、データベースに格納されたメッセージのうち当該異常に対応するメッセージと撮影手段にて撮影された映像とを編集し、編集された情報を所定の回線を介して出力するものであった。
【０００３】
【特許文献１】特開２００１−１２６１７３号公報（段落００１４）
【発明の開示】
【発明が解決しようとする課題】
【０００４】
従来のセキュリティ装置は以上のように構成され、留守中の家屋への訪問者，異常などを、画像を用いて通知するシステムがあるが、必ず画像を送信することで通信パケットが増加するという課題があった。
【０００５】
この発明は上記のような課題を解決するためになされたもので、画像を送信することを減らし通信パケットを減少させるセキュリティ装置を得ることを目的とする。
【課題を解決するための手段】
【０００６】
この発明に係るセキュリティ装置は、外部カメラから訪問者の画像を入力し画像データに変換するデータ処理部と、データ処理部で変換された訪問者の画像データを格納するデータ格納部と、データ格納部で格納した訪問者の画像データと、外部のデータベースに訪問者を識別する識別情報と関連付けて格納されている過去の訪問者の画像データとを比較照合するデータ照合部と、データ照合部の比較照合結果が一致した場合、予め特定した携帯端末に上記データベースの一致した画像データに関連する識別情報を送信し、データ照合部の比較照合結果が不一致の場合、予め特定した携帯端末に新規訪問者の来訪を送信するデータ制御部とを備えるものである。
【発明の効果】
【０００７】
この発明によれば、画像を送信することを減らし通信パケットを減少させることができるという効果を奏する。
【発明を実施するための最良の形態】
【０００８】
以下、この発明の実施の一形態を説明する。
実施の形態１．
図１はこの発明の実施の形態１におけるセキュリティターミナル１０１を含むセキュリティシステムの構成図である。
図１に示すように、セキュリティターミナル１０１（セキュリティ装置）はセキュリティシステムの中にあり、セキュリティシステムは、カメラ付呼出応答部１００（外部カメラ）と、セキュリティターミナル１０１と、データベース１０２と、インターネットサーバ１０３と、携帯端末１０４とにより構成されている。
【０００９】
ここでカメラ付呼出応答部１００は例えば家屋の玄関先等に設置するものであり、セキュリティターミナル１０１は検知，データ照合，制御を行うものであり、データベース１０２は訪問者を識別する識別情報と関連付けて画像データが格納されているものであり、インターネットサーバ１０３はセキュリティターミナル１０１と携帯端末１０４を接続するものであり、携帯端末１０４は家主が通知情報を確認等するためのものである。
【００１０】
図２はこの発明の実施の形態１におけるセキュリティターミナル１０１の構成図であり、データ処理部１１０と、データ格納部１１１と、データ照合部１１２と、データ制御部１１３と、音声データ送受信部１１４とにより構成されている。
【００１１】
ここで、データ処理部１１０はカメラ付呼出応答部１００から訪問者の画像を入力し画像データに変換するものであり、カメラ画像入力を携帯端末１０４で確認できるデータフォーマット（ＪＰＥＧ、ＭＰＥＧなど）に圧縮変換する。データ格納部１１１はデータ処理部１１０で変換された訪問者の画像データを格納し、データ照合部１１２はデータ格納部１１１で格納した訪問者の画像データと、データベース１０２に訪問者を識別する識別情報と関連付けて格納されている過去の訪問者の画像データとを比較照合するものであり、データ制御部１１３はインターネットサーバ１０３とのアクセス制御を行い、データ照合部１１２の比較照合結果が一致した場合、予め特定した携帯端末１０４にデータベース１０２の一致した画像データに関連する識別情報を送信し、データ照合部１１２の比較照合結果が不一致の場合、予め特定した携帯端末１０４に新規訪問者の来訪を送信するものであり、音声データ送受信部１１４は電話機能を有し、携帯端末１０４から着呼した場合、訪問者と家主とが通話するためのカメラ付呼出応答部１００と携帯端末１０４とを接続するものである。
【００１２】
図３はこの発明の実施の形態１におけるセキュリティターミナル１０１を含むセキュリティシステムの動作についてのフローチャート図である。
まず、訪問者がカメラ付呼出応答部１００により呼出操作を行い、外出先の予め特定した携帯端末１０４、例えば家主の携帯端末１０４に通知するまでを説明する。
【００１３】
ステップＳＴ１において、カメラ付呼出応答部１００は、訪問者がカメラ付呼出応答部１００を操作して呼び出しを行うと、そのときのカメラからの訪問者の画像や呼出操作した時間等の情報を、セキュリティターミナル１０１へ送る。ステップＳＴ２において、セキュリティターミナル１０１は、受信した画像データを、データ処理部１１０が携帯端末１０４で確認可能なデータフォーマットに圧縮変換し、データ格納部１１１へ格納する。ステップＳＴ３において、データ照合部１１２は、データベース１０２から画像データを順次読出し、ステップＳＴ４において、データ照合部１１２は、データ格納部１１１に格納された訪問者の画像データとの比較照合を行う。データ照合部１１２の比較照合の結果、既に登録されている訪問者であると判断された場合、ステップＳＴ５において、データ照合部１１２はその結果をデータ制御部１１３に出力し、データ制御部１１３は、一致した画像と関連付けてデータベースに格納されている訪問者を識別する識別情報を、画像データなしの通知内容（既登録者、氏名、時間、応対するための選択ダイアログ等）を登録者簡易データとしてインターネットサーバ１０３経由で外出先の家主の携帯端末１０４に通知し、ステップＳＴ７において、携帯端末１０４は通知を受信する。この通知を通知Ａとする。
【００１４】
ステップＳＴ４において、データ照合部１１２が照合した結果としてデータベース１０２登録外の新規訪問者と判断した場合、ステップＳＴ６において、データ照合部１１２はその結果をデータ制御部１１３に出力し、データ制御部１１３は、新規訪問者が来訪したことを通知し、併せて新規訪問者の画像データのデータ格納部１１１内の保存先のアドレス、例えばデータ制御部１１３は携帯端末１０４に新規訪問者の画像データのデータ格納部１１１内の保存先のＵＲＬアドレス画像データを添付した新規訪問者が来訪したことをインターネットサーバ１０３経由で外出先の家主の携帯端末１０４に、通知内容（新規訪問者、時間、新規訪問者の画像データのＵＲＬアドレス、応対するための選択ダイアログ等）を通知し、ステップＳＴ７において、携帯端末１０４は通知を受信する。この通知を通知Ｂとする。
【００１５】
図４はこの発明の実施の形態１における通知Ａを受信した後の動作についてのフローチャート図であり、図５はこの発明の実施の形態１における通知Ｂを受信した後の動作についてのフローチャート図である。
まず、通知Ａを受信した後の動作を図４のフローチャートにより説明する。
ステップＳＴ１０において、家主の携帯端末１０４がデータを受信し、確認操作により、通知内容（既登録者、氏名、時間、応対するための選択ダイアログ等）を確認する。
【００１６】
ステップＳＴ１１において、例えば家主は通知内の応対メッセージの選択ダイアログ（例えば、応対しますか？）を応答すると操作（クリックによる選択決定）することでセキュリティターミナル１０１の音声データ送受信部１１４に電話をかけることができ、応対しない場合はそのまま通知内容を閉じ、携帯端末１０４からの操作を完了する。ステップＳＴ１２において、家主は、応対する場合、家主の携帯端末１０４と音声データ送受信部１１４とが通話状態になり、音声データ送受信部１１４はカメラ付呼出応答部１００と接続されているので、家主は外出先から訪問者とカメラ付呼出応答部１００を用いて通話する。
【００１７】
次に通知Ｂの場合を図５のフローチャートにより説明する。
ステップＳＴ２０において、家主の携帯端末１０４が、データを受信し、確認操作により、通知内容（新規訪問者、時間、新規訪問者の画像データのＵＲＬアドレス、応対するための選択ダイアログ等）を確認する。
【００１８】
ステップＳＴ２１において、通知内容から新規訪問者の画像データのＵＲＬアドレスを操作（クリックによる選択決定）することで、新規訪問者の画像を確認する。
【００１９】
ステップＳＴ２２において、画像確認後、例えば家主は通知内の応対メッセージの選択ダイアログ（例えば、応対しますか？）を応答すると操作（クリックによる選択決定）することでセキュリティターミナル１０１の音声データ送受信部１１４に電話をかけることができ、応対しない場合はそのまま通知内容を閉じ、携帯端末１０４からの操作を完了する。ステップＳＴ２３において、家主は、応対する場合、家主の携帯端末１０４と音声データ送受信部１１４と通話状態になり、外出先から訪問者とカメラ付呼出応答部１００を用いて通話することができる。ステップＳＴ２４において、音声通話終了後、データベース１０２は、携帯端末１０４から訪問者情報を登録し、データ格納部１１１から画像データを登録する。
【００２０】
以上のように、実施の形態１によれば、セキュリティターミナル１０１は、カメラ付呼出応答部１００から訪問者の画像を入力し画像データに変換するデータ処理部１１０と、データ処理部１１０で変換された訪問者の画像データを格納するデータ格納部１１１と、データ格納部１１１で格納した訪問者の画像データと、外部のデータベース１０２に訪問者を識別する識別情報と関連付けて格納されている過去の訪問者の画像データとを比較照合するデータ照合部１１２と、データ照合部１１２の比較照合結果が一致した場合、予め特定した携帯端末１０４にデータベース１０２の一致した画像データに関連する識別情報を送信し、データ照合部１１２の比較照合結果が不一致の場合、予め特定した携帯端末１０４に新規訪問者の来訪を送信するデータ制御部１１３とを備えることにより、画像を送信することを減らし通信パケットを減少させることができるという効果を奏する。
【００２１】
また実施の形態１によれば、データ照合部１１２の比較照合結果が不一致の場合、データ制御部１１３は携帯端末１０４に新規訪問者の画像データのデータ格納部１１１内の保存先のアドレスを送信することにより、画像を送信することを減らし通信パケットを減少させることができるという効果を奏する。
【００２２】
また実施の形態１によれば、データ照合部１１２の比較照合結果が不一致の場合、データ照合部１１２はデータベース１０２に未登録の訪問者の画像データを保存することにより、次回に来訪したときは登録者として扱うことができるという効果を奏する。
【００２３】
また実施の形態１によれば、訪問者を確認後、携帯端末１０４から着呼した場合、訪問者が通話するためのカメラ付呼出応答部１００と携帯端末１０４とを接続する音声データ送受信部１１４を備えることにより、家主が外出先から音声応答することができ、緊急な用件等の対応することができるという効果を奏し、また訪問者に留守であることを認識させないという効果を奏する。
【００２４】
実施の形態２．
図６はこの発明の実施の形態２におけるセキュリティターミナル１０１の構成図である。
実施の形態２のセキュリティターミナル１０１は、図６に示すように、データ処理部１１０と、データ格納部１１１と、通知先検出データ照合部１２０（データ照合部）と、データ制御部１１３と、音声データ送受信部１１４とにより構成されている。
実施の形態１のセキュリティターミナル１０１との違いは、データ照合部１１２の代わりに通知先検出データ照合部１２０を有することであり、通知先検出データ照合部１２０はデータ格納部１１１のデータとデータベース１０２のデータを比較照合し、データを登録した通知先（携帯端末ＩＤ）を検出する。
従って、訪問者に最適な通知先に連絡し、応答することができる。
【００２５】
図７はこの発明の実施の形態２におけるセキュリティターミナル１０１を含むセキュリティシステムの動作についてのフローチャート図である。
訪問者がカメラ付呼出応答部１００により呼出操作を行い、検出された通知先の携帯端末１０４に通知するまでを説明する。
【００２６】
ステップＳＴ３０において、カメラ付呼出応答部１００は、訪問者がカメラ付呼出応答部１００を操作して呼び出しを行うと、カメラからの訪問者の画像や呼出操作した時間等の情報をセキュリティターミナル１０１へ送信する。ステップＳＴ３１において、セキュリティターミナル１０１は、受信した画像データを、データ処理部１１０が携帯端末１０４で確認可能なデータフォーマットに圧縮変換し、データ格納部１１１はこの画像データを格納する。ステップＳＴ３２において、データ処理部１１０はデータベース１０２から画像データを順次読出し、ステップＳＴ３３において、通知先検出データ照合部１２０は、データ格納部１１１に格納された訪問者の画像データとデータベース１０２からの画像データとの比較照合を行う。
【００２７】
ステップＳＴ３３において、通知先検出データ照合部１２０が比較照合の結果、既に登録されている訪問者であると判断された場合、ステップＳＴ３４において、通知先検出データ照合部１２０は、通知先として登録した携帯端末ＩＤを検出し、画像データなしの登録者簡易データをデータ制御部１１３に出力し、データ制御部１１３は、一致した画像と関連付けてデータベース１０２に格納されている訪問者を識別する識別情報を、画像データなしの登録者簡易データとしてインターネットサーバ１０３経由で検出された通知先の携帯端末１０４に通知し、ステップＳＴ３６において、検出された通知先の携帯端末１０４は通知を受信する。この通知を通知Ａとする。
【００２８】
ステップＳＴ３３において、通知先検出データ照合部１２０が比較照合しデータベース１０２登録外の新規訪問者と判断した場合は、ステップＳＴ３５において、通知先検出データ照合部１２０は、その結果をデータ制御部１１３に出力し、データ制御部１１３は、新規訪問者が来訪したことと、併せて新規訪問者の画像データのセキュリティターミナル１０１内の保存先のアドレス、例えば新規訪問者の画像データのデータ格納部１１１内の保存先のＵＲＬアドレスを、インターネットサーバ１０３経由で予め特定した例えば家主の携帯端末１０４に通知し、ステップＳＴ７において、携帯端末１０４は通知を受信する。この通知を通知Ｂとする。
【００２９】
通知Ａ及び通知Ｂの各々の動作は実施の形態１の内容と同一であり、説明を省略する。
【００３０】
以上のように、実施の形態２によれば、セキュリティターミナル１０１は、通知先検出データ照合部１２０が、データベース１０２に識別情報と関連付けて格納されている被訪問者の携帯端末ＩＤを抽出し、データ制御部１１３は、識別情報又は新規訪問者の来訪を携帯端末１０４に通知することにより、画像を送信することを減らし通信パケットを減少させることができるという効果を奏する。
【００３１】
また実施の形態１によれば、既に登録されている訪問者であると判断された場合、通知先検出データ照合部１２０は、登録した携帯端末のＩＤから通知先を検出するため、関連者を特定して緊急応対ができるという効果を奏する。
【図面の簡単な説明】
【００３２】
【図１】この発明の実施の形態１におけるセキュリティ装置を含むセキュリティシステムの構成図である。
【図２】この発明の実施の形態１におけるセキュリティ装置の構成図である。
【図３】この発明の実施の形態１におけるセキュリティ装置を含むセキュリティシステムの動作についてのフローチャート図である。
【図４】この発明の実施の形態１における通知Ａを受信した後の動作についてのフローチャート図である。
【図５】この発明の実施の形態１における通知Ｂを受信した後の動作についてのフローチャート図である。
【図６】この発明の実施の形態２におけるセキュリティ装置の構成図である。
【図７】この発明の実施の形態２におけるセキュリティ装置を含むセキュリティシステムの動作についてのフローチャート図である。
【符号の説明】
【００３３】
１００  カメラ付呼出応答部、１０１  セキュリティターミナル、１０２  データベース、１０３  インターネットサーバ、１０４  携帯端末、１１０  データ処理部、１１１  データ格納部、１１２  データ照合部、１１３  データ制御部、１１４  音声データ送受信部、１２０  通知先検出データ照合部。
【図１】
2008257517.tif 000003
【図２】
2008257517.tif 000004
【図３】
2008257517.tif 000005
【図４】
2008257517.tif 000006
【図５】
2008257517.tif 000007
【図６】
2008257517.tif 000008
【図７】
2008257517.tif 000009